【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、
前記第一の組織固定部の先端から径方向の外方に延びるとともに前記第二の組織固定部側に戻って前記第一の生体組織を押圧する外周バネ部と、を備える組織締付具。
【請求項２】
請求項１に記載の組織締付具であって、
前記外周バネ部が前記第一の生体組織を第二の生体組織側に押し付ける組織締付具。
【請求項３】
請求項２に記載の組織締付具であって、
前記第一の組織固定部のコイル初張力が、前記組織締付具が生体内に留置された際に前記外周バネ部が前記第１の生体組織を押圧する力量よりも強く設定された組織締付具。
【請求項４】
請求項２に記載の組織締付具であって、
前記外周バネ部のコイル素線径が前記第一及び第二の組織固定部のコイル素線径よりも小に設定された組織締付具。
【請求項５】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第一の組織固定部のコイル高さが１．５ｍｍ以上に設定された組織締付具。
【請求項６】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第二の組織固定部のコイル高さが０．５ｍｍ以上に設定された組織締付具。
【請求項７】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第二の組織固定部の先端側の一部の初張力が、前記第二の組織部分の他の部分の初張力よりも小に設定された組織締付具。
【請求項８】
請求項７に記載の組織締付具であって、
前記第二の組織固定部の略一巻の初張力が、前記第二の組織部分の他の部分の初張力よりも小に設定された組織締付具。
【請求項９】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第二の組織固定部の先端側の一部が密着巻になっていない組織締付具。
【請求項１０】
請求項９に記載の組織締付具であって、
前記第二の組織固定部の先端側の略一巻が密着巻になっていない組織締付具。
【請求項１１】
第一の生体組織と第二の生体組織とをともに密着するように締め付ける組織締付具であって、
前記第一の生体組織に掛止するコイル状に巻かれた弾性線材からなる第一の組織固定部と、
前記第一の組織固定部と連なり前記第二の生体組織に掛止するコイル状に巻かれた弾性線材からなる第二の組織固定部と、を備え、
前記第一の組織固定部と第二の組織固定部との間で締め付けられて壊死する第一及び第二の生体組織部分と一体になって脱落するときに、前記第二の組織固定部から第一の組織固定部側へ向かってのみ移動して脱落する組織締付具。
【請求項１２】
請求項１１に記載の組織締付具であって、
前記第一の組織固定部の少なくとも一部の外径が、第二の組織固定部の外径よりも大に設定されている組織締付具。
【請求項１３】
請求項１１に記載の組織締付具であって、
前記第一の組織固定部の先端部が前記第一の組織固定部の他の部分に対して傾斜されている組織締付具。
【請求項１４】
請求項１１に記載の組織締付具であって、
前記第一の組織固定部のコイル巻数が前記第二の組織固定部のコイル巻数よりも多い組織締付具。
【請求項１５】
請求項１１に記載の組織締付具であって、
前記第一の組織固定部のコイル巻密度が、前記第二の組織固定部のコイル巻密度よりも低い組織締付具。
【請求項１６】
請求項１１に記載の組織締付具であって、
前記第一の組織固定部に、前記第一の生体組織の表面に沿って流れる係止体が取り付けられている組織締付具。
【請求項１７】
請求項１１に記載の組織締付具であって、
前記第一の組織固定部の前記弾性線材の直径が前記第二の組織固定部の前記弾性線材の直径よりも大とされている組織締付具。
【請求項１８】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第一の組織固定部と前記第二の組織固定部の少なくとも連結部分の弾性線材が多数の細線材をよられて構成される組織締付具。
【請求項１９】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第一の組織固定部と前記第二の組織固定部の少なくとも連結部分の弾性線材には、外周に細線材が巻きつけられる組織締付具。
【請求項２０】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、を備え、
前記第二の組織固定部の外周に前記第一の組織固定部が配置される組織締付具。
【請求項２１】
第一の生体組織と第二の生体組織とをともに密着するように締め付ける組織締付具であって、
前記第一の生体組織に掛止する大小２段のコイル状に巻かれた弾性線材からなる第一の組織固定部と、
前記第一の組織固定部の小コイル状部分と連なり前記第二の生体組織に掛止するコイル状に巻かれた弾性線材からなる第二の組織固定部と、を備える組織締付具。
【請求項２２】
第一の生体組織と第二の生体組織とをともに密着するように締め付ける組織締付具であって、
前記第一の生体組織に掛止するコイル状に巻かれた弾性線材からなる第一の組織固定部と、
前記第一の組織固定部と連なり前記第二の生体組織に掛止するコイル状に巻かれた弾性線材からなる第二の組織固定部と、を備え、
前記第一の組織固定部と前記第二の組織固定部の連結部分がコイル状の中央部を通過する組織締付具。
【請求項２３】
第一の生体組織と第二の生体組織とをともに密着するように締め付ける組織締付具であって、
前記第一の生体組織に掛止するコイル状に巻かれた弾性線材からなる第一の組織固定部と、
前記第二の生体組織に掛止するコイル状に巻かれた弾性線材からなる第二の組織固定部と、
円筒状に形成され、内部に前記第一の組織固定部に嵌合する雌ネジ部を有し、前記雌ネジ部が第一の組織固定部に嵌合されたときに、第二の組織固定部側に張り出すリング状の張出部を有するキャップと、を備える組織締付具。
【請求項２４】
第一の生体組織と第二の生体組織とをともに密着するように締め付ける組織締付具であって、
前記第一の生体組織に掛止するコイル状に巻かれた管状の弾性線材からなる第一の組織固定部と、
前記第二の生体組織に掛止するコイル状に巻かれた管状の弾性線材からなる第二の組織固定部と、を備える組織締付具。